(57)【要約】【課題】折り畳み型の装置において、ヒンジ部内部においてＦＰＣ及び接続ケーブルを通す構成における効果的な防水構造を提供する。【解決手段】ヒンジ部４を介して上側装置２と下側装置３とを折り畳める構造を持ち、上側装置２及び下側装置３の内部に配置された各プリント基板５，６が、ヒンジ部４の内部を通過するフレキシブルプリント基板（ＦＰＣ）７と接続ケーブル８とにより接続される。さらに、ヒンジ部４と上側装置２及び下側装置３との各境界においてＦＰＣ７及び接続ケーブル８とその外側のケースとの間の空間がＦＰＣ７と接続ケーブル８とが離れた状態でシールパッキン９により充填されている。【選択図】　　　　図１
2004047968.tif 000002
【特許請求の範囲】
【請求項１】
ヒンジ部を介して折り畳み可能に連結された上側装置及び下側装置と、
前記上側装置及び前記下側装置内に配置されたプリント基板と、
前記プリント基板の相互間を接続するフレキシブルプリント基板及び接続ケーブルと、
前記ヒンジ部と前記上側装置及び下側装置との各境界をシールする防水構造とを含み、
前記上側装置と下側装置との間に引き廻される前記プリント基板と接続ケーブルとは、前記防水構造を異なる位置で貫通しており、
前記防水構造は、前記フレキシブルプリント基板と接続ケーブルとの間を密にシールしていることを特徴とする折り畳み型携帯端末装置。
【請求項２】
前記防水構造はシールパッキンから構成され、
当該シールパッキンは、組み合わされる上部パッキンと下部パッキンとを備えており、
前記上部パッキンと下部パッキンとのうちの少なくとも一方に、前記接続ケーブルを通過させる穴を形成し、
前記上部パッキンと下部パッキンとの合わせ面により前記フレキシブルプリント基板との間を密にシールしたことを特徴とする請求項１記載の折り畳み型携帯端末装置。
【請求項３】
前記上部パッキン及び下部パッキンのうち前記穴が形成された一方は、前記穴に通じる切り込みを有することを特徴とする請求項２記載の折り畳み型携帯端末装置。
【請求項４】
前記上部パッキンと前記下部パッキンとの合わせ面には隙間部が形成され、該隙間部に前記フレキシブルプリント基板が圧入配置されることを特徴とする請求項２記載の折り畳み型携帯端末装置。
【請求項５】
前記接続ケーブルを複数本有し、当該複数のケーブルが前記防水構造を貫通していることを特徴とする請求項１に記載の折り畳み型携帯端末装置。
【請求項６】
前記接続ケーブルは、前記シールパッキンの穴にガイドされて前記上側装置と下側装置との間に引き回されていることを特徴とする請求項２に記載の折り畳み型携帯端末装置。
【発明の詳細な説明】
【０００１】
【発明の属する技術分野】
本発明は、折り畳み型携帯電話機などの携帯端末装置に関し、特に、防水構造を備える携帯端末装置に関する。
【０００２】
【従来の技術】
従来、携帯電話機などの装置における防水対策として、装置を構成する各部位において構造を工夫することにより様々な対策が施されてきた。
【０００３】
例えば、特許文献１に開示される「携帯端末装置」は、携帯端末装置の操作部であるキーシート周辺部からの水に浸入に対しての防水構造を対象としている。また、特許文献２に開示される「ゴムパッキンおよびその製造方法」は、携帯端末装置の上下ケースの周囲嵌合部からの水浸入に対する防水対策として使用するのに好適なゴムパッキンを対象としている。
【０００４】
また、その他にも、携帯電話機に設置される穴（音孔など）や外観のあらゆる隙間から浸入する水分に対しても防水対策を試みた完全防水型の携帯電話機（一体型）が存在する。しかし、昨今では、一般に「折り畳み型」と呼ばれる携帯電話機、つまりヒンジ部を介して上側装置と下側装置とが折り畳めるタイプの携帯電話機が数多く市場に出回っている中で、このヒンジ部の隙間からの水浸入に関する市場クレーム（苦情・指摘等）が数多くある。
【０００５】
具体的には、ヒンジ部の外部の隙間から水分が浸入し、浸入した水分がヒンジ部内部を通過しているＦＰＣ（Ｆｌｅｘｉｂｌｅ　Ｐｒｉｎｔ　Ｃｉｒｃｕｉｔ）に伝わり、さらにＦＰＣを伝って上下装置内のプリント基板に到達することにより電気的な問題を引き起こしている。ここで、ＦＰＣは可撓性を備え、上下装置内部に配置された各プリント基板を接続するのに使用されている基板である。
【０００６】
このヒンジ部隙間からの水分浸入（水以外の物質や塵なども侵入する可能性が有る）という問題に対して対策を施した携帯電話機の構成の例を図８及び９に示す。図８は、携帯電話機を正面（筐体を開いた状態）から見た図であり、図中のＩＩＩ−ＩＩＩ断面を図９に示す。
図８及び図９に示す構成では、ヒンジ部４と上下各装置（上側装置２、下側装置３）との境界の空間において、上下各装置２，３への水浸入の経路となるＦＰＣ７の一部分について、上下からゴム部品Ｐ（ゴムパッキン（ｒｕｂｂｅｒ　ｐａｃｋｉｎｇ）、ゴムパッキン部品ともいう）で挟み込み、ＦＰＣ７とＦＰＣ７の外側の筐体（ケース）との間の空間を充填して隙間を無くすように構成している。ゴム部品Ｐで空間を充填しているため、ＦＰＣ７とゴム部品Ｐとが圧接しており、また、ゴム部品Ｐと筐体（ケース）とが圧接しており、ヒンジ部４から上下各装置２，３への浸入路を無くすことにより防水効果を達成している。
【０００７】
しかしながら、折り畳み型携帯電話機の中には、上下のプリント基板５，６を接続しているＦＰＣ７以外に、更に同軸ケーブル等を上下のプリント基板５，６に接続してヒンジ部４の内部を通す構成を採るものがある。このＦＰＣとケーブルとをヒンジ部内部で通す構成において上記のようにゴム部品Ｐを用いて防水構造を設ける場合の携帯電話機の構成例を図１０、図１１に示す。図１０（ａ）は、携帯電話機の正面図、図１０（ｂ）は同背面図である。図１１は、図１０（ｂ）のＩＶ−ＩＶ断面図である。
図１０及び図１１に示すように、接続ケーブル（同軸ケーブル）８が１本、ＦＰＣ７と共にヒンジ部４内部を通過しており、上下の各プリント基板５，６に接続される。ヒンジ部４と上下各装置２，３との境界の空間において、それぞれゴムパッキンＰが配置されており（図では４つのゴムパッキン部品Ｐが配置されている）、ＦＰＣ７及びケーブル８は、ゴムパッキン部品Ｐの間を上下装置２，３方向へ通過する。空間をゴムパッキン部品Ｐにより充填して隙間を最小限にすることにより、水滴などが上下装置２，３の方向へ浸入することを防止している。
【０００８】
図１２（ａ）及び（ｂ）に示す防水構造は、二つのゴムパッキン部品ＰによりＦＰＣ７とケーブル８とが上下から挟み込まれ、ＦＰＣ７とゴムパッキン部品Ｐとの間が圧接（密着）し、水滴などの侵入を防止している。ゴムパッキンＰは外側の筐体（ケース）にも圧接している。また、ゴムパッキン部品ＰとＦＰＣ７とが密着する部分（面）のうちの一部においてケーブル８を通している。
図１２（ａ）に示す防水構造は、ＦＰＣ７とケーブル８とを別位置でゴムパッキン部品Ｐによって挟み込んでいる。図１２（ｂ）に示す防水構造は、ＦＰＣ７とケーブル８とを一緒に（ＦＰＣ７の上面にケーブル８を配置して）ゴムパッキン部品Ｐによって挟み込んでいる。
【０００９】
上記のような構成では、ケーブル８周りにおいてゴムパッキン部品Ｐとの間に隙間Ｓが生じる。隙間Ｓは水滴などの浸入路になってしまうため、水滴がＦＰＣ７又はケーブル８を伝って上下装置２，３内のプリント基板５，６に伝わってしまい、電気的な問題（ショート等）を引き起こす原因になっていた。
また、特に図１２（ｂ）に示す構成では、ゴムパッキン部品ＰとＦＰＣ７とが密着する面のうちの一部においてケーブル８を通す構成であるため、ＦＰＣ７やケーブル８に対して余計な外力負担がかかり（特にＦＰＣ７への負担）、この結果、ＦＰＣ７中の信号ラインの断線を引き起こす原因となるなどの問題があった。換言すると、ＦＰＣ７の一部に圧力が集中して作用するため、ＦＰＣ７に断線が生じる原因となることがあった。
【００１０】
【特許文献１】
特開２０００−１５１７７２号公報
【特許文献２】
特開平１０−１６９７８０号公報
【００１１】
【発明が解決しようとする課題】
以上のように、従来の構成では、ヒンジ部内部においてＦＰＣと接続ケーブルとを通す構成に対応する適切な防水構造は考慮されていなかった。
【００１２】
本発明は、かかる問題点に鑑みてなされたものであり、折り畳み型の携帯電話機などの携帯端末装置において、ヒンジ部内部においてＦＰＣ及び接続ケーブルを通す構成における効果的な防水構造を備える携帯端末装置を提供することを目的とする。
【００１３】
また、ＦＰＣやケーブルに余計な外力負担を与えることのない防水構造を備える携帯端末装置を提供することを目的とする。
【００１４】
【課題を解決するための手段】
上記目的を達成するため、本発明に係る折り畳み型携帯端末装置は、ヒンジ部を介して折り畳み可能に連結された上側装置及び下側装置と、上側装置及び下側装置内に配置されたプリント基板と、プリント基板の相互間を接続するフレキシブルプリント基板及び接続ケーブルと、ヒンジ部と上側装置及び下側装置との各境界をシールする防水構造とを含み、上側装置と下側装置との間に引き廻されるプリント基板と接続ケーブルとは、防水構造を異なる位置で貫通しており、防水構造は、フレキシブルプリント基板と接続ケーブルとの間を密にシールした構成を採っている。
【００１５】
また、防水構造はシールパッキンから構成され、当該シールパッキンは、組み合わされる上部パッキンと下部パッキンとを備えており、上部パッキンと下部パッキンとのうちの少なくとも一方に、接続ケーブルを通過させる穴を形成し、上部パッキンと下部パッキンとの合わせ面によりフレキシブルプリント基板との間を密にシールしたことが望ましいものである。
【００１６】
また、上部パッキン及び下部パッキンのうち穴が形成された一方は、穴に通じる切り込みを有することが望ましいものである。
【００１７】
また、上部パッキンと下部パッキンとの合わせ面には隙間部が形成され、該隙間部にフレキシブルプリント基板が圧入配置されることが望ましいものである。
【００１８】
また、接続ケーブルを複数本有し、当該複数のケーブルが防水構造を貫通した構成を採るようにしても良い。
【００１９】
また、接続ケーブルは、シールパッキンの穴にガイドされて上側装置と下側装置との間に引き回されている構成を採るようにしても良いものである。
【００２０】
【発明の実施の形態】
以下、本発明の実施の形態を添付図面を参照しながら詳細に説明する。図１（ａ）は、本発明の実施の形態における折り畳み型携帯端末装置１の構成を示す正面図、図１（ｂ）は同背面図である。図２は、図１（ｂ）のＩ−Ｉ線断面図である。
図１及び図２に示すように、本発明に係る携帯端末装置１は、大別して、上側装置２、下側装置３、ヒンジ部４を有する。
上側装置２と下側装置３とはヒンジ部４を介して接続される。本発明は、一般に「折り畳み型」と呼ばれる、ヒンジ部４を介して上側装置２と下側装置３とが折り畳めるタイプの携帯端末装置１を対象とするものであり、当該ヒンジ部４の隙間４１から浸入する水などに対する防水構造を提供するものである。
携帯端末装置１内のヒンジ部４と上下の各装置２，３との境界の空間をシールパッキン９により充填して、ヒンジ部４から上下各装置２，３方向へ水滴などが浸入することを防止する。換言すると、上下各装置２，３内の空間とヒンジ部４とはシールパッキン９によって隔離されている。
【００２１】
以下、本実施例における構成要素に関し従来技術の説明において挙げた構成要素については同じ記号を付与して表す。
【００２２】
上側装置２は、ディスプレイなどが設けられる側の装置であり、一方、下側装置３は、操作入力キーなどが設けられる側の装置である。上側装置２、下側装置３のそれぞれの筐体（ケース）の内部には、所定の回路が形成されたプリント基板５、６が配置されている。プリント基板５、６はＦＰＣ７と接続ケーブル８とによって電気的に接続される。
【００２３】
ヒンジ部４はいくつかの部位から構成されるが、典型的にはその外部部位（外部表面に露出する部分）は上下の各装置２、３と一体構造として製造され、その部位が軸部品により組み合わせられて回動可能に構成される。ヒンジ部４は回動可能に構成される部位であるため、必然的に隙間４１を有している。隙間４１からは水分や塵などの装置動作不良の原因と成り得る物質（特に水）が浸入し得る。
【００２４】
ヒンジ部４の内部は、上下各装置２，３内のプリント基板５、６間を接続するフレキシブルプリント基板（ＦＰＣ）７が通過する。また、同様に各プリント基板５，６間を接続する接続ケーブル（同軸ケーブル）８が通過する。なお、本実施例ではＦＰＣ７を２枚重ねて配置する構成を図示しているが構成はこれに限るものではない。
【００２５】
ヒンジ部４の隙間４１から浸入した水滴１１がＦＰＣ７又は接続ケーブル８に付着し、更にＦＰＣ７又は接続ケーブル８を伝って上側装置２又は下側装置３の方向へ浸入し得る。水滴１１の浸入に対しヒンジ部４と上下各装置２，３との境界の空間において充填されるシールパッキン９部位においてそれ以上浸入させないように止め、特に上下装置２，３内のプリント基板５，６に伝わることを防止する。
【００２６】
図２で、斜線で示されているのがシールパッキン９である。シールパッキン９は、ヒンジ部４と上下の各装置２，３との境界の空間において設けられている。シールパッキン９は比較的硬度が低い弾性体（体積弾性を有する部材であり、スプリングのような形状弾性体は含まない）である。なお本実施例では、特にシールパッキン部１０１をキー部（操作入力部）の防水シートであるラバーシート１０と一体部品として構成しているが、独立した部品として構成してもよい。各シールパッキン９において、ＦＰＣ７と接続ケーブル８とを別の２ヶ所で通過させている。ヒンジ部４の隙間４１から水滴１１が浸入し、ＦＰＣ７又は接続ケーブル８を伝ってシールパッキン９の面に達した場合、各水滴１１はその位置でそれ以上の浸入を止められる。
【００２７】
図３は、図１（ｂ）のＩＩ−ＩＩ線断面図である。図３に示すように、本実施例では、上下各装置２，３における各シールパッキン９は、二つの上部パッキン９ａと下部パッキン９ｂとから構成される。上部パッキン９ａには、円形の穴９ｃが設けられており、上部パッキン９ｂの穴９ｃに接続ケーブル８を通過させている。上部及び下部パッキン９ａ，９ｂの合わせ面でＦＰＣ７を挟み込んでいる。この場合、シールパッキン９が弾性材料であるから、上部及び下部パッキン９ａ，９ｂとＦＰＣ７との接触面、及び、上部パッキン９ａの穴９ｃと接続ケーブル８との接触面は、圧接（密着）している。以上の構成においては、ＦＰＣ７及び接続ケーブル８がシールパッキン９を貫通することとなる。
下部パッキン９ｂ（又は上部パッキン９ａ）の合わせ面には、フレキシブルプリント基板７が圧入される凹陥部９ｅを備えている。凹陥部９ｅを設けることにより、上部パッキン９ａ及び下部パッキン９ｂの合わせ面には、幅がＦＰＣ７と略同一で、厚さが配置されるＦＰＣ７よりも若干薄い隙間９ｆが形成される。なお、隙間９ｆの厚さ寸法（凹陥部９ｅの深さ）は、これに配置されるＦＰＣ７の厚さの合計に応じて設定される。本実施例では、ＦＰＣ７を２枚重ねて配置する構成であるから、隙間９ｆをＦＰＣ２枚分よりも若干薄くしている。ＦＰＣ７は隙間９ｆに配置されることで、上部パッキン９ａ及び下部パッキン９ｄのいずれとも密着するため、水滴１１の浸入が防止される。
【００２８】
シールパッキン９は、その外面が、ＦＰＣ７及び接続ケーブル８を収容している筐体（ケース）（必ずしも最外部筐体とは限らない）と圧接（密着）している。シールパッキン９によりＦＰＣ７、接続ケーブル８、及び筐体（ケース）が圧接（密着）され、且つこれらの間の空間が充填されていることにより、水滴１１を上下各装置２，３内に浸入させない。
【００２９】
図４（ａ）、（ｂ）は、シールパッキン９、特にシールパッキン９の上部パッキン９ａと下部パッキン９ｂと接続ケーブル８との関係を示す詳細図である。図３に示すシールパッキン９の上部パッキン９ａと下部パッキン９ｂとは図２に示すように、ヒンジ部４で連結される上側装置２と下側装置３とにそれぞれ組み込まれ、それぞれの上部及び下部パッキン９ａ，９ｂの外形は、それが充填される空間の形状に応じて形成されている。図４（ａ）に示すように、シールパッキン９の上部パッキン９ａに形成した穴９ｃに接続ケーブル８を通過させている。
図４（ａ）、（ｂ）に示すように、上部パッキン９ａの穴９ｃは、接続ケーブル８の外径より若干小さめの穴径を有する。穴９ｃの穴径を接続ケーブル８の外径よりも小さくすることにより、接続ケーブル８とシールパッキン９との密着を図り水滴が浸入する隙間を無くしている。また、図４及び図２に示すように、上部パッキン９ａの穴９ｃに通した接続ケーブル８の両端に、プリント基板５，６に接続するための接合片８１を取り付ける。
【００３０】
図５は、ヒンジ部４におけるＦＰＣ７及び接続ケーブル８の配置状態を示す斜視図である。図５及び図２に示すように、ＦＰＣ７は、ヒンジ部４の内部でヒンジ部４の軸４ａの周りを一回りして両端部がプリント基板５，６に接続される。また、接続ケーブル８は、一方のプリント基板６側からシールパッキン９ａにガイドされてヒンジ部４の軸４ａまで引き出され、その位置からヒンジ部４の軸４ａに添う方向に引き回され、かつ他方のプリント基板５側に曲げられてシールパッキン９の上部パッキン９ａの穴９ｃでガイドされて他方のプリント基板５側に引き回されている。接続ケーブル８をパッキン９でガイドすることにより、接続ケーブルをガイドするための部品を削減でき、装置の小型化・軽量化を図ることができる。
図５において点線で示したのは、ヒンジ部４から上側装置２（上側プリント基板５）へと向かう側に設けられるシールパッキン９の面である。なお、ヒンジ部４内におけるこのＦＰＣ７や接続ケーブル８の配置構成は一例であってこれに限られるものではない。
【００３１】
本実施例に示したようなシールパッキン９の形態（及びＦＰＣ７と接続ケーブル８の配置）を実現するためには、まず、シールパッキン９を型から成形する際に、接続ケーブル８と共に成形する一体成形法を用いる方法がある。また、別の方法として、前述の穴９ｃなどを設けたシールパッキン９を製造し、接続ケーブル８の両端の接合片８１を取り付ける前に穴９ｃに接続ケーブル８を通し、次に接合片８１を接続ケーブル８に取り付ける方法などが挙げられる。
【００３２】
ヒンジ部４と上下各装置２，３との境界において、ＦＰＣ７及び接続ケーブル８と、それを収容する筐体（ケース）との間の空間が、ＦＰＣ７と接続ケーブル８とが離れた位置関係の状態でシールパッキン９により充填される。このため、ＦＰＣ７や接続ケーブル８に対しシールパッキン９による無理な外力負担を与えることがない。特にＦＰＣ７に対して無理な外力負担を与えないので、ＦＰＣ７の損傷や不良を防止することができる。
【００３３】
本発明に係る携帯端末装置１では、図２に示すように、仮にヒンジ部４の隙間４１から水が浸入し、水滴１１がＦＰＣ７又は接続ケーブル８を矢印方向に伝わった場合でも、最終的にはシールパッキン９を越えて内部に上側装置２や下側装置３の内部に浸入することが阻止される。
【００３４】
次に、本発明の他の実施例について説明する。他の実施例として、上下のプリント基板５，６を接続する接続ケーブル８は複数本設けられてもよい。図６は、ヒンジ部４を通過する複数の接続ケーブル８を有する構成を示す詳細図である。シールパッキン９の上部パッキン９ａには、接続ケーブル８と同数の穴９ｃが互いに離れた位置に設けられる。図は、３本の接続ケーブル８を設けた構成である。なお、シールパッキン９ａに形成される穴９ｃは、ＦＰＣ７と干渉しない位置に設けられる。
【００３５】
また他の実施例として、図７に示すように、シールパッキン９に接続ケーブル８を通すための他の方法に対応した構成として、シールパッキン９の上部パッキン９ａ形成した穴９ｃに通じる切り込み９ｄを設け、切り込み９ｄを使って接続ケーブル８を穴９ｃにはめ込むようにしてもよい。
図７に示すように、シールパッキン９の上部パッキン９ａに形成した穴９ｃの上部に切り込み９ｄを設けることにより（水浸入路とならない程度に設ける）、接続ケーブル８に接合片８１を取り付けた状態でも、接続ケーブル８を切り込み９ｄから押し込めば、穴９ｃを通過することで接続ケーブル８がシールパッキン９を貫通する状態に構成することができる。この構成では、シールパッキン９と接続ケーブル８との組立てを容易に行うことができる利点がある。
【００３６】
なお、以上の本実施例においては携帯端末装置１として特に携帯電話機を例に採っているが、本発明はその特徴が防水構造に関するものであるので、特に携帯電話機に限ることなく、ヒンジ部を有する折り畳み型の装置に関して広く適用することができる。
【００３７】
以上により本発明の実施の形態について説明した。なお、上述した実施形態は、本発明の好適な実施形態の一例を示すものであり、本発明はそれに限定されるものではなく、その要旨を逸脱しない範囲内において、種々変形実施が可能である。
例えば、上記実施の形態においては、上部パッキン９ａ及び下部パッキン９ｂのいずれかにいずれかに凹陥部９ｅを設ける構成を示したが、上部パッキン９ａと下部パッキン９ｂとの合わせ面に幅がＦＰＣ７と略同一で、厚さがＦＰＣ７よりも若干薄い隙間９ｆが形成されるのであれば、上部パッキン９ａ及び下部パッキン９ｂはどのような形状であってもよい。例として、上部パッキン９ａ及び下部パッキン９ｂの両方に凹陥部を設けるようにしたり、いずれか一方に凹陥部を設け他方には凸起部を設けるようにしても、合わせ面に上記形状の隙間が形成できれば同様の効果が得られる。
また、接続ケーブル８の断面形状は円形に限定されることはなく、断面が円形でない場合には、穴９ｃの断面を接続ケーブル８の断面と相似形で若干小さくすれば同様の効果が得られる。
このように、本発明は様々な変形が可能である。
【００３８】
【発明の効果】
以上の説明から明らかなように、本発明によれば、ヒンジ部の隙間から浸入する可能性のある水や塵などに関しＦＰＣや接続（同軸）ケーブルに付着した場合でも上下各装置内部の各プリント基板への浸入を防止することができる。また、ＦＰＣに関する防水（シールパッキンによる圧接）と、接続ケーブルに関する防水（シールパッキンのケーブル通し穴を通過させる）とを別々に行っている事により、ＦＰＣや接続ケーブルに無理な外力負担を与えることなく部品の密着（空間の充填）を行うことができるため、外力によるＦＰＣ中の複数の信号ラインの断線などを防止することが出来る。
【図面の簡単な説明】
【図１】（ａ）は、本発明の実施の形態における携帯端末装置の構成を示す正面図、（ｂ）は、同背面図である。
【図２】図１（ｂ）のＩ−Ｉ線断面図である。
【図３】図１（ｂ）のＩＩ−ＩＩ線断面図である。
【図４】（ａ）、（ｂ）は、シールパッキン及び接続（同軸）ケーブルの形態を示す詳細図である。
【図５】ヒンジ部４におけるＦＰＣ７及び接続ケーブル８の配置の概略を示す図である。
【図６】（ａ）、（ｂ）は、複数の接続（同軸）ケーブル有した形態を示す詳細図である。
【図７】シールパッキンに形成した接続ケーブル用の穴にこれに通じる切り込みを設けた構成を示す詳細図である。
【図８】ヒンジ部隙間から浸入する水に対する防水対策としてゴムパッキン部品を設けた従来の携帯電話機の構成を示す図である。
【図９】図８のＩＩＩ−ＩＩＩ線断面図である。
【図１０】（ａ）は、ヒンジ部内部にＦＰＣに加えて同軸ケーブル（接続ケーブル）を有する携帯電話機の構成を示す正面図、（ｂ）は、同背面図である。
【図１１】図１０（ｂ）ののＩＶ−ＩＶ断面を示す図である。
【図１２】図１０（ｂ）のＶ−Ｖ線に添って断面した、防水構造が異なる断面図である。
【符号の説明】
１　携帯端末装置
２　上側装置
３　下側装置
４　ヒンジ部
５　上側プリント基板
６　下側プリント基板
７　ＦＰＣ（フレキシブルプリント基板）
８　同軸ケーブル（接続ケーブル）
９　シールパッキン（ｓｅａｌ　ｐａｃｋｉｎｇ、体積弾性体による空間充填部品）
９ａ　上部パッキン
９ｂ　下部パッキン
９ｃ　穴
９ｄ　切り込み
９ｅ　凹陥部
９ｆ　隙間
１０　ラバーシート（キー部における防水用シート）
１１　水滴
４１　ヒンジ部隙間
８１　接合片
１０１　ラバーシートと一体のシールパッキン部
Ｉ−Ｉ、ＩＩ−ＩＩ、ＩＩＩ−ＩＩＩ、ＩＶ−ＩＶ、Ｖ−Ｖ　携帯端末装置における各種断面
【図１】
2004047968.tif 000003
【図２】
2004047968.tif 000004
【図３】
2004047968.tif 000005
【図４】
2004047968.tif 000006
【図５】
2004047968.tif 000007
【図６】
2004047968.tif 000008
【図７】
2004047968.tif 000009
【図８】
2004047968.tif 000010
【図９】
2004047968.tif 000011
【図１０】
2004047968.tif 000012
【図１１】
2004047968.tif 000013
【図１２】
2004047968.tif 000014